(57)【要約】【課題】  携帯端末において位置や時間に基づく情報を定期的に受信する。【解決手段】  ユーザからの操作を受け付ける操作部と、ユーザによる操作を待機する間に情報表示可能な待機表示部と、現在位置を検出し、これを指定位置として取得するか、或いは操作部を介して指定された位置に関する情報を取得する位置取得部と、取得した指定位置に関して予測される実用情報の取得要求を、その実用情報を有するサーバ装置に送信する取得要求送信部と、取得要求送信部に取得要求の送信を行わしめる取得要求制御部と、サーバ装置から、実用情報を受信する実用情報受信部と、受信した実用情報を、待機表示部において表示させる表示制御部と、ユーザに注意を促す通知部と、を含む。【選択図】図７
2008136249.tif 000002
【特許請求の範囲】
【請求項１】
ユーザからの操作を受け付ける操作部と、
前記ユーザによる操作を待機する間に情報表示可能な待機表示部と、
現在位置を検出し、これを指定位置として取得するか、或いは前記操作部を介して指定された位置に関する情報を取得する位置取得部と、
前記取得した指定位置に関して予測される実用情報の取得要求を、その実用情報を有するサーバ装置に送信する取得要求送信部と、
前記取得要求送信部に前記取得要求の送信を行わしめる取得要求制御部と、
前記サーバ装置から、前記実用情報を受信する実用情報受信部と、
前記受信した実用情報を、前記待機表示部において表示させる表示制御部と、
前記実用情報に基づいて、前記ユーザに注意を促す通知部と、を含むことを特徴とする移動通信装置。
【請求項２】
前記通知部は、前記実用情報として、ユーザに注意を促すべき情報があるときに、前記ユーザに通知することを特徴とする請求項1に記載の移動通信装置。
【請求項３】
前記通知部は、前記実用情報に変化があったときに、前記ユーザに通知することを特徴とする請求項1に記載の移動通信装置。
【請求項４】
前記通知部はバイブレータを備えることを特徴とする請求項1に記載の移動通信装置。
【請求項５】
前記受信した実用情報の内容と表示方法を対応づけて定義した表示定義テーブルを格納するテーブル格納部を更に含み、
前記表示制御部は、前記実用情報の内容に対応する表示方法により、前記受信した実用情報を前記待機表示部において表示させることを特徴とする請求項１乃至４のいずれかに記載の移動通信装置。
【発明の詳細な説明】
【技術分野】
【０００１】
本発明は、移動通信端末により情報を取得するための技術、とくに、位置と時間に基づく情報を定期的に取得するための技術に関する。
【背景技術】
【０００２】
近年、携帯電話、自動車電話、簡易型携帯電話などさまざまな移動通信装置のための無線通信網が急速に整備されている。
【０００３】
従来の有線電話網に接続された形で、そのサービスエリアを急拡大させた無線通信網は、社会的なインフラストラクチャーとなった。
【０００４】
現在では、携帯電話は、インターネットとの接続機能や高度な情報処理機能を備えるに至り、単なる通話手段の域を超えた総合的な情報通信端末へと進化した。これは、携帯電話以外の移動通信端末の多くにもあてはまる。
【発明の開示】
【発明が解決しようとする課題】
【０００５】
しかしながら、携帯電話においてインターネットにアクセスして所望の情報を取得するためには、通常、インターネットブラウザを起動して、所定のコンテンツ配信サーバに接続する必要がある。
【０００６】
しかし、様々な情報をすべてこのような手順を経て取得することが、必ずしも最適なユーザインタフェースとはいえない。
本発明はこうした背景に鑑みてなされたものであり、その目的は、移動通信端末において、必要な情報を効果的に取得するための技術、の提供にある。
【課題を解決するための手段】
【０００７】
本発明のある態様は、移動通信装置である。
この装置は、ユーザからの操作を受け付ける操作部と、ユーザによる操作を待機する間に情報表示可能な待機表示部と、現在位置を検出し、これを指定位置として取得する位置取得部と、取得した指定位置に関して予測される実用情報の取得要求を、その実用情報を有するサーバ装置に送信する取得要求送信部と、取得要求送信部に取得要求の送信を行わしめる取得要求制御部と、サーバ装置から、実用情報を受信する実用情報受信部と、受信した実用情報を、待機表示部において表示させる表示制御部と、前記実用情報に基づいて、前記ユーザに注意を促す通知部と、を含む。
「移動通信装置」とは、装置本体が移動しても通信機能を発揮することができる装置をいう。これは、主として無線通信装置であり、たとえば、携帯電話やＰＤＡ（Ｐｅｒｓｏｎａｌ  Ｄｉｇｉｔａｌ  Ａｓｓｉｓｔａｎｃｅ）などであってもよいし、カーナビゲーション端末であってもよい。
【０００８】
「待機表示部」とは、ユーザが通話などの処理を行っていないときにおいても、ユーザに対して情報を表示する機能を有するユニットをいう。これは、画面表示に限られるものでなく、たとえば、携帯電話の筐体に備えられるＬＥＤ（Ｌｉｇｈｔ  Ｅｍｉｔｔｉｎｇ  Ｄｉｏｄｅ）などの表示手段であってもよい。
【０００９】
本発明の別の態様も、移動通信装置である。この装置は、ユーザからの操作を受け付ける操作部と、ユーザによる操作を待機する間に情報表示可能な待機表示部と、操作部を介して指定された位置に関する情報を取得する位置取得部と、取得した指定位置に関して予測される実用情報の取得要求を、その実用情報を有するサーバ装置に送信する取得要求送信部と、取得要求送信部に取得要求の送信を行わしめる取得要求制御部と、サーバ装置から、実用情報を受信する実用情報受信部と、受信した実用情報を、待機表示部において表示させる表示制御部と、前記実用情報に基づいて、前記ユーザに注意を促す通知部と、を含む。
或いは通知部は、実用情報として、ユーザに注意を促すべき情報があるときに、ユーザに通知する。
【００１０】
或いは、通知部は、実用情報に変化があったときに、ユーザに通知する。
【００１１】
或いは、通知部はバイブレータを備える。
或いは、受信した実用情報の内容と表示方法を対応づけて定義した表示定義テーブルを格納するテーブル格納部を更に含み、表示制御部は、実用情報の内容に対応する表示方法により、受信した実用情報を待機表示部において表示させる。
【００１２】
この装置は、実用情報の内容上の種別に関する指定を取得する種別取得部を更に含み、取得要求送信部は、更に取得した指定種別に関する実用情報の取得要求を送信してもよい。
【００１３】
「内容上の種別」とは、取得する実用情報の種類、いわば、コンテンツとしての種類を意味するものであり、情報の結果や前提に基づく分類ではない。
たとえば、「天気予報」は実用情報としての内容上の種類であるが、「晴れ」や「雨」という情報は天気予報というコンテンツにおける結果の情報であってここでいう「内容上の種別」には含まれない。
また、「３時間後の天気」、「東京都の天気」のように時間や位置などに基づく分類も、「天気予報」というコンテンツの前提条件となる情報、いわば、パラメータにすぎず、ここでいう「内容上の種別」には含まれない。
この装置は、受信した実用情報の内容と表示方法を対応づけて定義した表示定義テーブルを格納するテーブル格納部を更に含み、表示制御部は、実用情報の内容に対応する表示方法により、受信した実用情報を前記待機表示部において表示させてもよい。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、移動通信端末において、必要な情報を効果的に取得することができる。
【発明を実施するための最良の形態】
【００１６】
図１は、移動通信システムの構成を示す。
コンテンツサーバ１００は、移動通信装置２０６に各種の情報を提供するためのサーバ装置である。
無線通信網１８には、接続装置２０２ａや接続装置２０２ｂのように複数の接続装置（以下、これらをまとめて「接続装置２０２」ともよぶ）が接続されている。
【００１７】
接続装置２０２ａは基地局２０４ａ、基地局２０４ｂ、および、基地局２０４ｃのような複数の基地局（以下、これらをまとめて「基地局２０４」ともよぶ）と無線通信網１８を中継する。
【００１８】
各基地局２０４はそれぞれ、セル領域２０８ａ、セル領域２０８ｂ、および、セル領域２０８ｃ（以下、これらをまとめて「セル領域２０８」ともよぶ）を担当する。
【００１９】
移動通信装置２０６は、自己の所属するセル領域２０８を担当する基地局２０４と接続することにより通信を行い、所望の情報をコンテンツサーバ１００から取得する。
【００２０】
移動通信装置２０６は基地局２０４ｂが発信する基地局を識別する番号（以下、「基地局ＩＤ」とよぶ）を受信することで、自己がどの基地局２０４と接続しているかを知る。
【００２１】
また、移動通信装置２０６はこの受信した基地局ＩＤと共に、移動通信装置２０６を識別する番号を、基地局２０４ｂ、接続装置２０２ａ、無線通信網１８を介して、サービス制御局２００に書き込む。
【００２２】
これによって、サービス制御局２００は、移動通信装置２０６が現在どのセル領域に所属し、どの基地局２０４と接続しているかについての情報を格納する。
【００２３】
以下、携帯電話において、天気予報情報を取得する過程を例として、本発明の実施の態様を説明する。
【００２４】
まず、ユーザインタフェース画面を中心に本発明の概要を説明したあと、その具体的な実現方法について説明する。
【００２５】
まず、天気予報情報を定期的に取得するための設定を行う画面について説明する。
【００２６】
図２は、携帯電話機２１０において、ユーザが取得すべき実用情報の種類を選択する実用情報種別設定画面２１２を示す。
【００２７】
同図では、ユーザは取得すべき実用情報として「気象情報」カテゴリに含まれる「天気」を選択している。
【００２８】
気象情報については、同図に示すように湿度に関する情報や台風に関する情報などさまざまなものがある。
【００２９】
図３は、携帯電話機２１０において、ユーザが天気予報情報の前提となる時間と場所を指定する条件設定画面２１４を示す。
【００３０】
同図においては、時間設定領域２１６において「１時間後」の天気予報として設定されている。
【００３１】
また、場所設定領域２１８において「自宅」の周辺の天気予報として設定されている。
このあと、ユーザは図示しない表示方法設定画面において、取得した天気予報情報の表示方法を設定する。
【００３２】
また、ユーザは、指定した天気予報情報を携帯電話機２１０が定期的に取得する時間間隔（以下、「取得間隔」とよぶ）を設定してもよい。
【００３３】
これらの設定が携帯電話機２１０に登録されると、携帯電話機２１０はその設定に従って、定期的に天気予報情報を有するコンテンツサーバ１００にアクセスして該当する情報を取得する。
【００３４】
以下、天気予報情報の表示インタフェースについて説明する。
【００３５】
図４は、携帯電話機２１０が折り畳まれた状態で、図２および３で設定した天気予報情報を通知する形態を示す図である。
【００３６】
同図においては、サブ画面２２２において傘マークが表示されている。
【００３７】
この傘のマークからユーザは「一時間後の自宅近辺は雨になる」ことを了知する。
【００３８】
一時間後の天気予報情報は、定期的に取得されるので、ユーザは常に現在時から一時間後の自宅近辺の天気予報を監視できる。
【００３９】
以下、このように画面の一部へのアイコン的表示を「ピクト表示」とよぶ。
【００４０】
図５は、携帯電話機２１０が開かれた状態で、おなじく天気予報情報を通知する形態を示す図である。
【００４１】
同図においては、メイン画面２２６の壁紙として傘をさしたブタがキャラクター表示されている。
【００４２】
これによって、ユーザはサブ画面２２２とおなじく、常時、一時間後の自宅近辺の天気予報を知ることができる。
【００４３】
図６は、携帯電話機２１０が折り畳まれた状態で、おなじく天気予報情報を通知する形態を示す図である。
【００４４】
ＬＥＤ群２２８は４つのＬＥＤを含み、天気予報情報の内容に応じていずれかのＬＥＤが点灯する。
【００４５】
なお、ＬＥＤの点灯する色彩や、ＬＥＤの点灯する組み合わせによりにより情報を通知してもよい。
【００４６】
以下、このようにＬＥＤによる情報表示を「ＬＥＤ表示」とよぶ。
【００４７】
なお、これらのピクト表示、壁紙表示およびＬＥＤ表示は、携帯電話機２１０が折り畳まれているか否かによるものではなく、また、これらの表示方法は複数が組み合わされてもよい。
【００４８】
図７は、移動通信装置２０６における本発明を実現する機能についての機能ブロック図である。
【００４９】
移動通信装置２０６の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組み合わせによって実現されるが、その実現方法、装置にはいろいろな変形例があることは、当業者には理解されるところである。
【００５０】
以下説明する各図は、ハードウエア単位の構成ではなく、機能単位のブロックを示している。
【００５１】
移動通信装置２０６は、ユーザインタフェース処理部２３０、通信処理部２４０およびデータ格納部２５０を含む。
【００５２】
ユーザインタフェース処理部２３０はユーザとのインタフェースを担当する。
【００５３】
ユーザインタフェース処理部２３０は、操作入力取得部２３２、待機表示部２３４および表示制御部２３６を含む。
【００５４】
操作入力取得部２３２はユーザによる操作を受け付ける。
【００５５】
操作入力取得部２３２は先述のように、実用情報の種類、情報の前提条件となる時間と位置、実用情報の表示方法などに関する設定を受け付け、データ格納部２５０に含まれる設定データ格納部２５２にその設定情報を格納する。
【００５６】
待機表示部２３４は、取得した情報を表示する。
【００５７】
表示制御部２３６は、設定データ格納部２５２に格納される表示方法に関する設定（以下、「表示設定」とよぶ）に基づき待機表示部２３４に情報を表示させる。
【００５８】
通信処理部２４０は通信に関する処理を行う。
【００５９】
通信処理部２４０は、現在位置取得部２４２、実用情報取得部２４４および取得要求制御部２４６を含む。
【００６０】
現在位置取得部２４２は、接続する基地局２０４の基地局ＩＤに基づいて現在位置を取得する。
【００６１】
現在位置取得部２４２は、ＧＰＳ（Ｇｌｏｂａｌ  Ｐｏｓｉｔｉｏｎｉｎｇ  Ｓｙｓｔｅｍ）により現在位置を取得してもよい。
【００６２】
実用情報取得部２４４は、設定データ格納部２５２に格納される設定情報に基づき、所望の実用情報を基地局２０４を介して取得する。
【００６３】
取得要求制御部２４６は、実用情報取得部２４４が実用情報を取得するタイミングを制御する。
【００６４】
実用情報取得部２４４は、タイマーを内蔵し、ユーザが設定した取得間隔ごとに実用情報取得部２４４に所定の実用情報の取得を指示する。
【００６５】
取得間隔は自動的に設定されてもよい。
【００６６】
データ格納部２５０は設定データ格納部２５２を含む。
【００６７】
設定データ格納部２５２には操作入力取得部２３２を介して入力された各種の設定情報が格納される。
【００６８】
通信処理部２４０やユーザインタフェース処理部２３０は、この設定情報に基づいてそれぞれの処理を実行する。
【００６９】
図８は、設定データ格納部２５２のデータ構造を示す図である。
【００７０】
設定ＩＤ欄２５４は、各設定を識別するためのＩＤ番号である。
【００７１】
場所指定欄２５６は、実用情報の前提となる場所に関する設定である。
【００７２】
この場所は、予め登録された複数の場所から選択されてもよいし、住所データや地図情報をもとにユーザが新規に設定できてもよい。
【００７３】
たとえば、ＩＤが２番の設定においては、「代官山駅」という公共の場所が設定されている。
【００７４】
一方、ＩＤが３番の設定においては、「自宅」というユーザに特有の場所が設定されている。
【００７５】
なお、ＩＤの１番にあるように「現在位置」が設定されている場合には、現在位置取得部２４２がユーザの現在位置を取得する。
【００７６】
時間指定欄２５８は、実用情報の前提となる時間に関する設定である。
【００７７】
実用情報種別欄２６０は、実用情報の種別、すなわち、コンテンツを示す。
【００７８】
ＩＤが１番の設定においては、「天気予報情報」が設定されている。
【００７９】
これに対して、ＩＤが４番の設定においては「気温予測情報」が設定されている。
【００８０】
表示方法指定欄２６２は、取得した実用情報の表示に関する設定である。
【００８１】
取得間隔欄２６４は、実用情報取得部２４４が実用情報を取得する取得間隔を示す。
【００８２】
取得要求制御部２４６は取得間隔となる時間が経過するごとに実用情報取得部２４４に実用情報の取得を指示する。
【００８３】
有効設定欄２６８は、これら各設定が有効化されているか否かを示す。
【００８４】
図８では、複数の設定のうち、ＩＤが１番の設定についてのみ有効化されている。
【００８５】
すなわち、現在位置の一時間後の天気予報情報がＬＥＤ表示されることになる。
【００８６】
実用情報取得部２４４は３０分ごとにその天気予報情報を取得する。
【００８７】
ここでは、３０分間隔で情報が更新される。
【００８８】
図９は、天気予報情報についての天気予報コード２７６である。
【００８９】
携帯電話機２１０は天気予報コード２７６のコードに基づいて実用情報を取得する。
【００９０】
同図では天気予報情報の種別コードとして「００１」が割り当てられている。
【００９１】
また、地域コード表２７０は、場所指定欄２５６について場所をコード化した表である。
【００９２】
時刻コード表２７２は、時間指定欄２５８について時間帯をコード化した表であり、天気コード表２７４は、天気予報の結果をコード化した表である。
【００９３】
これらのコードは、携帯電話機２１０がコンテンツサーバ１００から実用情報を取得する上での通信プロトコルとなる。
【００９４】
実用情報はこれらに基づいてコード化され、ＩＰパケットに載って送受される。
【００９５】
図１０は、実用情報取得部２４４からコンテンツサーバ１００に実用情報を要求するときに送信する取得要求データフレーム２９０を示す。
【００９６】
要求数領域２８０は、要求の数を示す。
【００９７】
設定ＩＤ領域２８２は設定ＩＤ欄２５４に対応する。
【００９８】
地域コード領域２８４は実用情報の前提となる場所を示すコードであり、同図の「０１」は地域コード表２７０により「（東）東京」に対応する。
【００９９】
すなわち、「（東）東京」における実用情報を要求している。
【０１００】
時刻コード領域２８６は実用情報の前提となる時刻を示すコードであり、同図の「０２４」は時刻コード表２７２により「翌日の０：００〜１：００」に対応する。
【０１０１】
コンテンツコード領域２８８は、実用情報の種別を示すコードであり、同図の「００１」は図９の「天気予報」に該当する。
【０１０２】
図１１は、実用情報取得部２４４がコンテンツサーバ１００から実用情報を取得するときに受信する返答データフレーム３１２を示す。
【０１０３】
返答数領域３００は、返答の数を示す。
【０１０４】
設定ＩＤ領域３０２は設定ＩＤ欄２５４に対応する。
【０１０５】
地域コード領域３０４は実用情報の前提となる場所を示すコードであり、地域コード領域２８４の「０１」に対応して、地域コード領域３０４は「０１」となっている。
【０１０６】
時刻コード領域３０６は実用情報の前提となる時間を示すコードであり、時刻コード領域２８６の「０２４」に対応して、地域コード領域３０４は「０２４」となっている。
【０１０７】
コンテンツコード領域３０８は実用情報の種別を示すコードであり、同図の「００１」は図９の「天気予報」に該当する。
【０１０８】
天気コード領域３１０は、天気予報の結果を示すコードであり、同図の「０３」は、天気コード表２７４より「雨」を示す。
【０１０９】
図１２は、ユーザが取得すべき実用情報について設定を行う過程のフローチャートである。
【０１１０】
ユーザは、実用情報種別設定画面２１２において取得すべき実用情報を選択する（Ｓ１０）。
【０１１１】
次に、時間設定領域２１６において情報の前提となる時間を設定し（Ｓ１２）、場所設定領域２１８において情報の前提となる場所を設定する（Ｓ１４）。
【０１１２】
このあと、実用情報の取得間隔を設定する（Ｓ１６）。
実用情報の表示方法を設定して（Ｓ１８）、これらの設定を設定データ格納部２５２に登録する（Ｓ２０）。
【０１１３】
図１３は、携帯電話機２１０の電源がＯＮとなった状態で、定期的に実用情報を取得する過程のフローチャートである。
【０１１４】
取得要求制御部２４６は実用情報の取得すべきタイミングに至ると、実用情報取得部２４４に実用情報の取得を指示する（Ｓ３０のＹ）。
【０１１５】
実用情報取得部２４４はこの指示に基づき、設定データ格納部２５２から設定情報を読み出す（Ｓ３２）。
【０１１６】
実用情報の前提となる場所として現在位置が設定されていれば（Ｓ３４のＹ）、現在位置取得部２４２は現在位置情報を取得する（Ｓ３６）。
【０１１７】
実用情報取得部２４４は、取得要求データフレーム２９０をコンテンツサーバ１００に送信し（Ｓ３８）、返答データフレーム３１２を取得する（Ｓ４０）。
【０１１８】
表示制御部２３６は、取得した実用情報を表示方法指定欄２６２の設定に基づいて、待機表示部２３４に表示させる（Ｓ４２）。
【０１１９】
電源がＯＦＦとなると（Ｓ４４のＹ）、処理を終了する。
【０１２０】
以上、実施の形態においては、ユーザがインターネットに能動的にアクセスしなくても、所望の情報を定期的に取得できる。
【０１２１】
ユーザはすべての情報に対して積極的に取得を望むものではない。
【０１２２】
情報の中には、わかるものなら知りたいという程度の情報も多い。
【０１２３】
本発明によれば、そのような情報を表示部を見るだけで取得できるため、効率のよい情報伝達が可能である。
【０１２４】
とくに、ピクト表示などにより、直感的に情報を伝達できる。
【０１２５】
さらに、これらを絵日記や電子メールに添付できてもよい。
【０１２６】
定期的な予測情報の取得により、ユーザは常に将来の情報を取得するため、予測に基づく行動が容易となる。
【０１２７】
また、ニュースのように一斉に送信されるマス情報と異なり、ユーザの関心、位置、時間に応じて細分化された実用情報を定期的に取得できる。
【０１２８】
以上、本発明を実施の形態をもとに説明した。
【０１２９】
実施の形態は例示であり、それらの各構成要素や各処理プロセスの組合せにいろいろな変形例が可能なこと、またそうした変形例も本発明の範囲にあることは当業者に理解されるところである。
【０１３０】
そうした変形例として、情報の取得タイミングは定期的でなくてもよい。
【０１３１】
たとえば、日中は頻繁に情報を取得し、夜間は取得頻度を下げるように情報取得頻度を制御する制御部を有してもよい。
【０１３２】
また、ユーザが一ヶ月あたり許容できる通信料金を指定する料金指定部を有してもよい。
【０１３３】
そして、通信費用が少なめの月は実用情報を取得する頻度を上げ、通信費用が多めの月にはその頻度を低下させるよう制御する制御部を有してもよい。
【０１３４】
また、天気予測情報を取得する際に、注意報が発令されているときや、「晴れ」の予報が「雨」の予報に変化したときには、バイブレータなどによりユーザの注意を促す通知部を有してもよい。
【０１３５】
実用情報としては気象情報のほかにも、戦況や疫病の伝染具合、交通渋滞や電力需要予測、ネットワークの通信負荷の予測、交通渋滞予測、流氷、渡り鳥や桜の開花などの動植物の生態に関する予測、彗星やオーロラなどの天体予測などさまざまな予測情報が考えられる。
【０１３６】
また、予測の時間指定は現在時からの経過時間ではなく、具体的な日時を指定してもよい。
【０１３７】
また、実用情報が、降水確率などの数値情報である場合には、画面の色彩や壁紙に表示するキャラクターの仕草などが、その結果に伴って連続的に変化してもよい。
【０１３８】
実用情報の前提となる場所の指定については、他の移動通信装置の位置を指定できてもよい。
【０１３９】
たとえば子供が旅行しているときに、その子供の有する移動通信装置の場所に基づいて情報を受信できれば、現地の様子を垣間見ることができる。
【図面の簡単な説明】
【０１４０】
【図１】本実施の形態における移動通信システムの構成図である。
【図２】実用情報の種別を設定する画面の一例を示す図である。
【図３】実用情報の時間と場所を設定する画面の一例を示す図である。
【図４】実用情報のピクト表示の様子を示す図である。
【図５】実用情報の壁紙表示の様子を示す図である。
【図６】実用情報のＬＥＤ表示の様子を示す図である。
【図７】移動通信装置の機能ブロック図である。
【図８】設定データ格納部のデータ構造を示す図である。
【図９】実用情報のコードを示す図である。
【図１０】実用情報要求時に送信するデータフレームを示す図である。
【図１１】実用情報取得時に受信するデータフレームを示す図である。
【図１２】実用情報に関する設定を行う過程のフローチャートである。
【図１３】実用情報の取得過程のフローチャートである。
【符号の説明】
【０１４１】
１００  コンテンツサーバ、２０６  移動通信装置、２１０  携帯電話機、２３０  ユーザインタフェース処理部、２３２  操作入力取得部、２３４  待機表示部、２３６  表示制御部、２４０  通信処理部、２４２  現在位置取得部、２４４  実用情報取得部、２４６  取得要求制御部、２５０  データ格納部、２５２  設定データ格納部、２９０  取得要求データフレーム、３１２  返答データフレーム。
【図１】
2008136249.tif 000003
【図２】
2008136249.tif 000004
【図３】
2008136249.tif 000005
【図４】
2008136249.tif 000006
【図５】
2008136249.tif 000007
【図６】
2008136249.tif 000008
【図７】
2008136249.tif 000009
【図８】
2008136249.tif 000010
【図９】
2008136249.tif 000011
【図１０】
2008136249.tif 000012
【図１１】
2008136249.tif 000013
【図１２】
2008136249.tif 000014
【図１３】
2008136249.tif 000015